(57)【要約】【課題】多様な種類の収納ケースが設置されることのできる支持台が連結台を貫通しながら前後にスライドでき、後ろにスライドされた状態でのみ左右に回転できるように構成されることで、狭い美容室の中で使用者の利便性を向上させることのできる機能性美容室チェアを提供すること。【解決手段】安着部と；前述の安着部と連結台によってつながり、前述の安着部を支える下部支持部と；一端部が前述の連結台の側部を貫通しながらスライド動作し、他の端部には設置台が設けられる支持台；とを含み、前記支持台は、  前記支持台の後ろにスライドされた状態で前記連結台を基準軸にして左右に回転する。【選択図】図１
2019103812.tif 000002
【特許請求の範囲】
【請求項１】
安着部と；
前述の安着部と連結台によってつながり、前述の安着部を支える下部支持部と；
一端部が前述の連結台の側部を貫通しながらスライド動作し、他の端部には設置台が設けられる支持台；とを含み、
前記支持台は、
前記支持台の後ろにスライドされた状態で前記連結台を基準軸にして左右に回転する
ことを特徴とする機能性美容室チェア。
【請求項２】
前記支持台は、
前記一端部が前記連結台を貫通し他の端部が上方を向くよう湾曲しＬ字型に形成される
請求項１に記載の機能性美容室チェア。
【請求項３】
前記設置台は、
収納ケースを締結したり置くことが可能な収納ケース設置台；
カップホルダーを締結したり置くことが可能なカップホルダー設置台；
ヘアドライヤーを置くことが可能なヘアドライヤー設置台；のうちいずれか一つと締結できるように構成される
請求項１に記載の機能性美容室チェア。
【請求項４】
前記安着部は、
後面に１対の収納スペースが設けられた背もたれ部；を含み、
前記１対の収納スペースは回動運動により開口部が開くように構成され、そして下部には一つ以上の穴または開口部が形成される
請求項１に記載の機能性美容室チェア。
【請求項５】
前記背もたれ部には、
前記支持台が前記連結台を貫通し前方にスライドする場合、前記背もたれ部の内側に入れられたり、引き出されたりするようにする受け溝；が形成される
請求項４に記載の機能性美容室チェア。
【請求項６】
前記安着部は、
一側方向に突き出でて形成される肘掛け部；
記肘掛け部の端部から入れたり引き出すことができるようにスライド動作する補助設置台；を含む
請求項１に記載の機能性美容室チェア。
【請求項７】
前記補助設置台は、
カップをセットすることができるように設けられるカップホルダー用設置台；
モバイル機器を充電したり置くことができるように設けられるモバイル機器置き；を含む
請求項６に記載の機能性美容室チェア。
【発明の詳細な説明】
【技術分野】
【０００１】
本発明は機能性美容室チェアに関するものであり、より具体的には、多様な種類の収納ケースが設置されることのできる支持台が連結台を貫通し前後にスライドでき、後ろにスライドされた状態でのみ左右に回転できるように構成されることで、狭い美容室の中で使用者の利便性を向上させることのできる機能性美容室チェアに関するものである。
【背景技術】
【０００２】
一般的に美容室でカット、パーマ、カラー、ドライ等の作業をする場合、作業者は作業に必要なヘアカッター、ハサミ、ブラシやコーム、薬品等を別途のキャリアや作業台の上に置いておく。
【０００３】
この場合、作業者は、作業のために動くたび作業台を引いたり押したりして移動させなければならず、周りの置物や設置物などにぶつかるなど不便が生じる可能性があり、使い終わった作業台を保管するために別途の保管スペースが必要であるため、狭い美容室では作業台を使わないとき放置された作業台がスペースを取るという問題点がある。
【０００４】
このため本発明は、従来の美容室チェアが持つこのような問題点や限界を乗り越えるために、スライド構造によりチェアの背もたれから引き出される支持台に、多様な種類の収納ケース、美容器具、飲み物などが設置されたり収納されるようにするとともに、スライド構造によりチェアの肘掛けから引き出される設置台に使用者が個人的に使うコップやモバイル機器などが設置されたり収納されるようにすることで狭い美容室の中で多数の収納スペースや物を設置するスペースを確保できるようにする多機能美容室チェアを発明するに至った。
【発明の概要】
【発明が解決しようとする課題】
【０００５】
本発明は上述の問題点を解決するために案出されたものであり、本発明は多様な種類の収納ケースが設置されることのできる支持台が連結台を貫通し前後にスライドでき、後ろにスライドされた状態でのみ左右に回転できるように構成されることで、狭い美容室の中で使用者の利便性を向上させることのできる機能性美容室チェアを提供するものである。
【０００６】
また本発明は、安着部の後面に１対の収納スペースが設けられた背もたれ部を含み、１対の収納スペースは回動運動により開口部が開くように構成され、かつ下部には一つ以上の穴または開口部が形成される機能性美容室チェアを提供するものである。
【課題を解決するための手段】
【０００７】
本発明の一実施例に基づく機能性美容室チェアは、安着部；前述の安着部と連結台によってつながり前述の安着部を支える下部支持部；及び一端部が前述の連結台の側部を貫通しながらスライド動作し、他の端部には設置台が設けられる支持台を含み、前述の支持台は、前述の支持台の後ろにスライドされた状態で前述の連結台を基準軸にして左右に回転することを特徴とする。
好ましくは、前述の支持台は、前述の一端部が前述の連結台を貫通し他の端部が上方を向くよう湾曲しＬ字型に形成されることを特徴とする。
【０００８】
好ましくは、前述の設置台は、収納ケースを締結したり置くことが可能な収納ケース設置台；カップホルダーを締結したり置くことが可能なカップホルダー設置台；及びヘアドライヤーを置くことが可能なヘアドライヤー設置台；のうちいずれか一つと締結できるように構成されることを特徴とする。
【０００９】
好ましくは、前述の安着部は、後面に１対の収納スペースが設けられた背もたれ部；を含み、前述の１対の収納スペースは回動運動により開口部が開くように構成され、かつ、下部には一つ以上の穴または開口部が形成されることを特徴とする。
【００１０】
好ましくは、前述の背もたれ部には、前述の支持台が前述の連結台を貫通し前方にスライドする場合、前述の背もたれ部の内側に入れられたり、引き出されたりするようにする受け溝；が形成されることを特徴とする。
【００１１】
好ましくは、前述の安着部は、一側方向に突き出て形成される肘掛け部；及び前述の肘掛け部の端部から入れたり引き出すことができるようにスライド動作する補助設置台；を含むことを特徴とする。
【００１２】
好ましくは、前述の補助設置台は、カップをセットすることができるように設けられるカップホルダー用設置台；及びモバイル機器を充電したり置くことができるように設けられるモバイル機器置き；を含むことを特徴とする。
【発明の効果】
【００１３】
本発明の一側面によると、多様な種類の収納ケースが設置されることのできる支持台が連結台を貫通し前後にスライドでき、後ろにスライドされた状態でのみ左右に回転できるように構成されることで、狭い美容室の中で使用者の利便性を向上させることができるようになる。
【００１４】
特に、支持台が連結台を貫通し前方にスライドする場合、前述の背もたれ部の内側に入れられたり、引き出されたりするようにする受け溝が提供されることにより使用者が収納ケースが必要なときだけ使えるようになる。
また本発明によると、安着部の後面に１対の収納スペースが設けられた背もたれ部を含むことでヘアアイロンのような小さい美容道具を収納しやすくなる。
さらに、上述の収納スペース下部には一つ以上の穴または開口部が形成されるため髪の毛や異物を取り除くことが容易になる。
【図面の簡単な説明】
【００１５】
【図１】本発明の一実施例に基づく機能性美容室チェア（１００）の全体的な形を示した説明図
【図２】図１に示された支持台（１２０）が背もたれ部（１１０ｃ）から引き出された状態を示した説明図
【図３】図１に示された支持台（１２０）が連結台（２００）によって一側方向に回転している状態を示した説明図
【図４】本発明の一実施例に基づく機能性美容室チェア（１００）の収納スペース（Ａ）をより具体的に示した説明図
【図５】本発明の他の実施例に基づく機能性美容室チェア（１００）の収納スペース（Ａ）をより具体的に示した説明図
【発明を実施するための形態】
【００１６】
本発明について添付の図面を参照しながら詳細に説明すると以下の通りである。ここで、繰り返される説明、本発明の要旨を不明にする可能性がある公知の機能及び構成に関する詳細な説明は省略する。本発明の実施形態は、当業界における平均的な知識を有する者に対し、本発明を完全に説明するために提供されるものである。したがって、図面における要素の形状及び大きさ等は、より明確な説明のために誇張されることがある。
【００１７】
明細書全般において、ある部分がある構成要素を「含む」「含める」とする場合、これは特に否定する記載が無い限り他の構成要素を排除するという意味ではなく他の構成要素をさらに含むことができるという意味とする。
【００１８】
以下に、本発明の理解を容易にするために好ましい実施例を示す。しかし下記の実施例は、あくまでも本発明をより理解しやすくするために提供されるものであり、実施例によって本発明の内容が限定されるものではない。
【００１９】
図１は本発明の一実施例に基づく機能性美容室チェア（１００）の全体的な形を示した図面であり、図２は図１に示された支持台（１２０）が背もたれ部（１１０ｃ）から引き出された状態を示した図面であり、図３は図１に示された支持台（１２０）が連結台（２００）によって一側方向に回転している状態を示した図面であり、図４は本発明の一実施例に基づく機能性美容室チェア（１００）の収納スペース（Ａ）をより具体的に示した図面であり、図５は本発明の他の実施例に基づく機能性美容室チェア（１００）の収納スペース（Ａ）をより具体的に示した図面である。
【００２０】
図１乃至図５を参照すると、本発明の一実施例に基づく機能性美容室チェア（１００）は大きく分けて安着部（１１０）、下部支持部（１２０）及び支持台（１３０）を含めて構成されることができ、さらに足置きステップ部（１４０）をさらに含めて構成されることができる。
【００２１】
安着部（１１０）は使用者が着座する座面のエリアを意味することがあり、その形に制限はない。ただし、本明細書における安着部（１１０）は、一側方向（例えば前方）に向かって突き出て形成された肘掛け部（１１０ａ）と、肘掛け部（１１０ａ）の端部から入れたり引き出すことができるようにスライド動作する補助設置台（１１０ｂ）と、別途の収納スペース（Ａ）が設けられた背もたれ部（１１０ｃ）を含めて構成されることができる。
【００２２】
ここで、肘掛け部（１１０ａ）は安着部（１１０）に着座した使用者の腕が置かれる部分であり、補助設置台（１１０ｂ）は肘掛け部（１１０ａ）から別途のスイッチまたはボタン（未図示）によってスライド動作をしながら外部へ突き出ることができる。
【００２３】
また、収納スペース（Ａ）は背もたれ部（１１０ｃ）から回転軸（未図示）によって一側方向に回動しながら入れられたり、引き出されることができるが、当該収納スペース（Ａ）は様々な美容器具（例えば、ヘアアイロン、ブラシやコーム、ハサミ、カッター、ヘアドライヤー、かみそり、鏡等）が収納されることのできる面積の内部スペースを持つことができる。
【００２４】
ここで、収納スペース（Ａ）は１対で構成されることができ、回動運動により開口部が開くように構成され、かつ下部には一つ以上の穴（１１１）または開口部（未図示）が形成されることができる。
このような構成により、収納スペース（Ａ）の中に入り込んだ髪の毛や異物を取り除くことがより容易になり得る。
【００２５】
一方、補助設置台（１１０ｂ）はスライド構造によりチェアの肘掛けから引き出されることができる。補助設置台（１１０ｂ）は使用者のカップをセットすることができるように設けられるカップホルダー用設置台またはモバイル機器を充電したり置くことができるように設けられるモバイル機器置き等を含むことができ、前述のタイプ以外にも使用者の私物を収納したり置いておくための用途であれば設置台や小物置、スタンド等のタイプは制限されない。ただし、モバイル機器置きである場合はモバイル機器の充電端子と連結可能な充電端子（未図示）及び充電端子に電源を供給する電源供給部（未図示）等が含まれることができる。
【００２６】
一方、背もたれ部（１１０ｃ）には後述する支持台（１３０）の他の端部が一部収容され引き入れられるための受け溝（Ｂ）が設けられることが可能である。
【００２７】
このような受け溝（Ｂ）は支持台（１３０）の他の端部と相応する形で凹んで形成されることで、支持台（１３０）の他の端部が背もたれ部（１１０ｃ）の内側に引き入れられ保管されることができる。
【００２８】
つまり背もたれ部（１１０ｃ）の内側に入れられたり、引き出されたりするようにする受け溝（Ｂ）が提供されることにより使用者が収納ケースが必要なときだけ使えるようになる。
【００２９】
下部支持部（１２０）は安着部（１１０）と連結台（２００）によってつながり、安着部（１１０）を床面から一定の高さに上げた状態で支える役割をすることができる。
【００３０】
このような下部支持部（１２０）は安着部（１１０）の高さを調節するための高さ調節手段（未図示）を含むことができ、一般的な理容室や美容室に備えられている高さを調節できるチェアの下部に相応するため、詳細な説明は省略する。
【００３１】
支持台（１３０）は一端部が連結台（２００）の側部を貫通しながらスライド動作し、他の端部には設置台（１）が設けられることが可能である。
【００３２】
より具体的に、図２及び図３を参照すると支持台（１３０）は一側方向に自由に回転可能な連結台（２００）によって一側方向に自由に回転することができる。このような支持台（１３０）は一端部が連結台（２００）を貫通した状態でつながるが、連結台（２００）を貫通した状態で自由にスライド動作をすることができる。
【００３３】
このとき、支持台（１３０）は他の端部が上方を向うよう中心部が湾曲しL字型に形成されることができるが、支持台（１３０）の一端部が連結台（２００）を貫通した状態でスライド動作することにより支持台（１３０）の他の端部が背もたれ部（１１０ｃ）の内側に入れられたり内側から引き出されることができる。
【００３４】
したがって、通常は支持台（１３０）の他の端部が背もたれ部（１１０ｃ）に引き入れられた状態で保管されており、必要なとき（例えば、使用者によって引っ張られるとき等）支持台（１３０）が背もたれ部（１１０ｃ）から外側に引き出されることがあるが、このとき支持台（１３０）の一端部が連結台（２００）からスライド動作をすることになる。このようなスライド動作後に支持台（１３０）は連結台（２００）の回転にそって時計回りまたは反時計回りに自由に回転できるようになる。
【００３５】
一方、支持台（１３０）の他の端部には多様な種類の収納ケースが置かれ固定される設置台（１３０ａ）が設けられることが可能である。
【００３６】
設置台（１３０ａ）は収納ケースを締結したり置くことが可能な収納ケース設置台、カップホルダーを締結したり置くことが可能なカップホルダー設置台またはヘアドライヤーを置くことが可能なヘアドライヤー設置台等と締結できるように設けられることが可能である。
【００３７】
また設置台（１３０ａ）は支持台（１３０）から脱着・結合できるように設けられることにより、必要なとき収納ケース設置台用、カップホルダー設置台用、ヘアドライヤー設置台用等に置き換えられるようになる 。
【００３８】
一方、一実施例において本発明は安着部（１１０）の下部から伸びた足置きステップ部（１４０）をさらに含むことができるが、足置きステップ部（１４０）は従来の理容室や美容室に備えられている高さを調節できるチェアの足置きステップに相応するため詳細な説明は省略する。
【００３９】
ここまで本発明の好ましい実施例を参照して説明したが、当該技術分野において熟練した当業者は、下記の特許請求範囲に記載された本発明の思想及び領域から逸脱しない範囲内で本発明を様々な形に修正及び変更することができる。
【符号の説明】
【００４０】
１00:機能性美容室チェア
１１0:安着部
１１0a:肘掛け部
１１0b:補助設置台
１１0c:背もたれ部
１20:下部支持部
１30:支持台
１30a:設置台
１40:足置きステップ部
200:連結台
【図１】
2019103812.tif 000003
【図２】
2019103812.tif 000004
【図３】
2019103812.tif 000005
【図４】
2019103812.tif 000006
【図５】
2019103812.tif 000007